(57)【要約】      （修正有）【課題】  短い期日で施工でき、通行の制限をあまりせず、コストの安い点検ピットを提供する。【解決手段】  ４つの側面板と、人の出入用開口１１を設けた上面板で囲われ、側面板の下縁に、地中埋設の配管１を挿通しうる切り欠き１２を設け、上枠８の下方開口６を塞ぐための底部９と、縁部に配管１の断面の半円を嵌合できる湾入部１８を設けた２枚の切り欠き１２用閉塞板１０と、上枠８の上方開口１１の開閉自在の蓋とで構成し、配管１の下方の基礎固めをし、その上に底部９を据え置き、上枠８を切り欠き１２のところで配管１を跨いで降ろし、上枠１の下方開口６と底部９を係合させ、２枚の閉塞板１０の湾入部１８を対向させて配管１を挟み、切り欠き１２を塞ぎ、閉塞板１０を切り欠き１２周縁と係止具で固定し、上枠８上方の開口１１に蓋をし、点検ピットを形成する。【選択図】        図４
2005054428.tif 000002
【特許請求の範囲】
【請求項１】
４つの側面板と、人の出入りできる開口を設けた上面板とで囲われ、前記側面板の内、対向する２側面板の下縁に地中埋設の配管を挿通しうる切り欠きを設け、下方は少なくとも前記切り欠き間が開口した上枠と、
前記上枠の下方開口を塞ぐための底部と、
縁部に前記配管の断面の半円を嵌合できる湾入部を設けた２枚の前記切り欠きの閉塞板と、
前記上枠の上方開口の開閉自在の蓋と、
で構成し、地中に埋設の配管の上下左右の土を掘り出して穴を設け、前記配管の下方を基礎固めをし、前記基礎固めをした面の上に前記底部を据え置き、前記上枠を、前記切り欠きのところで前記配管を跨いで降ろし、該上枠の下方開口と前記底部を係合させ、係止具で固定し、前記閉塞板の２枚を１組として２組を用い、それら各組の２枚の閉塞板湾入部を対向させて前記配管を挟み、前記上枠の２つの切り欠きのそれぞれの周縁に当接させて切り欠きを塞ぎ、閉塞板の周縁と切り欠き周縁とを係止具で固定し、上枠上方の開口に蓋をし、上枠の周囲を土で埋め戻してなる点検ピット。
【発明の詳細な説明】
【技術分野】
【０００１】
本願発明は、地下に埋設した、水道、ガス、下水、化学薬品等流体の配管の点検ピットに関するものである。
【背景技術】
【０００２】
点検ピットは、埋設した配管の所望の場所の土を掘って、管に計器やストレーナー等を取り付け、人が出入りできるようにした空洞である。
従来は、図１０に示すように、先ず配管１の周辺に軽量鋼矢板２を打ち込み、矢板２で囲んだ場所の土を堀り出して大きな穴を設け、配管１の下方に基礎砕石３を敷き、その上に敷均コンクリート４を敷設して基礎固めをする。
次いで、敷均コンクリート４の上に、配管１が下部で貫通するようにして鉄筋を枠板で囲み、コンクリート打ちして箱形の鉄筋コンクリート枠５を設ける（非特許文献１参照）。
鉄筋コンクリート枠５の上部には人の出入りのための開口６を設ける。
開口６には図示省略したが、蓋を設ける。
最後に開口６を除いて鉄筋コンクリート枠５の周囲を土で埋め矢板２を引き抜く。
この鉄筋コンクリート枠５内の配管１に計器やストレーナー等を取り付けて点検ピットが完成する。
【非特許文献１】建築用語辞典（技報堂  昭５３、１１、１発行、１版１２刷）第９０９頁鉄筋コンクリートの項。
【発明の開示】
【発明が解決しようとする課題】
【０００３】
従来の点検ピットは、敷均コンクリート４のコンクリートと敷設、鉄筋構成およびコンクリートの流し込みによる鉄筋コンクリート枠５の形成に相当の日数（平均２０日）を必要とする。
その間、工事中は交通が制限される。また、工期が長いので人件費が高くつき、コンクリート打ちの材料、機器の運搬費用もかかり、コストが高くつく。
この発明は、短い日数で施工でき、交通の制限をあまりせず、コストの安い点検ピットを提供することを目的とする。
【課題を解決するための手段】
【０００４】
４つの側面板と、人の出入りできる開口を設けた上面板とで囲われ、前記側面板の内、対向する２側面板の下縁に地中埋設の配管を挿通しうる切り欠きを設け、下方は少なくとも前記切り欠き間が開口した上枠と、
前記上枠の下方開口を塞ぐための底部と、
縁部に前記配管の断面の半円を嵌合できる湾入部を設けた２枚の前記切り欠きの閉塞板と、
前記上枠の上方開口の開閉自在の蓋と、
で構成し、地中に埋設の配管の上下左右の土を掘り出して穴を設け、前記配管の下方を基礎固めをし、前記基礎固めをした面の上に前記底部を据え置き、前記上枠を、前記切り欠きのところで前記配管を跨いで降ろし、該上枠の下方開口と前記底部を係合させ、係止具で固定し、前記閉塞板の２枚を１組として２組を用い、それら各組の２枚の閉塞板湾入部を対向させて前記配管を挟み、前記上枠の２つの切り欠きのそれぞれの周縁に当接させて切り欠きを塞ぎ、閉塞板の周縁と切り欠き周縁とを係止具で固定し、上枠上方の開口に蓋をし、上枠の周囲を土で埋め戻して点検ピットを形成する。
【発明の効果】
【０００５】
コンクリート施工は敷均コンクリートのみで済み、工期は、平均５日位で、従来のものに比べて大幅に短縮できる。
コンクリート施工は敷均コンクリートのみのため、鉄筋組立に要する鉄筋、型枠板等の材料が不要で、コンクリート材料も大幅に削減でき、そのための手数、材料費、運送費がかからず、工期が短いので人件費が安くすむ。従って、建設コストが大幅に削減できる。  また、工場生産、現場組立のため、品質が安定する。
工期が短いので交通をあまり制限しない。
【発明を実施するための最良の形態】
【０００６】
点検ピットを、上枠８、底部９と切り欠き閉塞板１０、１０と蓋（図示省略）の４部分で構成する。
上記部材は、いずれも軽量コンクリート板、プラスチック板、ステンレス鋼板等で形成する。蓋は鋳物製でもよい。
【０００７】
上枠８は、底部に開口６を有する箱体で、上板に人の出入りできる開口１１と、対向する両側面に配管１を貫通できる切り欠き１２を有する。
切り欠き１２は、角または円形等のアーチ状とする。
上枠８の下方では、少なくとも２つの切り欠き１２、１２間は開口（図中記号６）する。
上枠８と底部９との係合手段として、箱体内の下部に、底部９の段部１５に当接する棚１３を設け、ボルトで係止可能とする。
【０００８】
底部９は、上枠８の下方の開口６を塞ぐ部材で、底板１４の上面の両側縁に段部１５を設け、他の両側縁に、上枠８の切り欠き１２の下部に嵌合する垂直片１６、１６を立設し、垂直片１６、１６は、下部に相対向して段部１７を設け、閉塞板１０の下端の段部との嵌合を可能とする。
【０００９】
閉塞板１０は、一辺に配管１の半周縁を嵌合できる湾入部１８を設け、２枚の閉塞板１０、１０の湾入部１８を対向させて配管１を挟み、閉塞板１０の下部の段部と底部９の垂直片１６の段部１７を嵌合して係合させ、上枠８の棚１３に下端を載置し、ボルトとナット（図示省略）等係止具で上枠８の側板および垂直片１６に固定し、上枠８の切り欠き１２を閉塞可能とする。
【００１０】
点検ピットの施工を図３および図４に基づいて説明する。
先ず、点検ピットを施工しようとする位置に矢板７を打ち込んで囲い、その囲われたところの土を堀り出す。
【００１１】
露出した配管１の下方を基礎固めをする。
基礎固めは、基礎砕石３を敷き、その上に敷均コンクリート４を敷くことにより行う。
基礎砕石３または敷均コンクリート４の何れか一方を省略してもよい。
配管の下方の基礎固めをした面の上に、高さを調整して底部９を据え付ける。
底部９の上に上枠８を、底部９の段部１５の上に上枠８の棚１３の下面が当接するように降ろし、上枠８と底部９を係合させて、棚１３と段部１５とをボルトとナット（図示省略）等の係止具で固定する。
【００１２】
次いで、２板の閉塞板１０の湾入部を対向させて配管１を挟み、両閉塞板１０の周縁部を上枠の切り欠き１２の周縁内面に当接させ、かつ両閉塞板１０の下端の段部を底部９の垂直片１６の段部１７に嵌合し、底部９の底板１４の上面に載置し、両閉塞板１０の囲縁部と上枠８の切り欠き１２の周縁および底部９の垂直片１６とをボルトおよびナット（図示省略）等の係止具で固定する。
【００１３】
上枠８の開口１１に開閉自在の蓋（図示省略）を取り付け、矢板７で囲われた穴に土を入れて埋め戻し、矢板を引き抜く。
開口１１の周囲の路面を舗装等にて復旧し、原状に戻す。
蓋を開けて、出入りし、配管に計器等を取り付け、配管の点検が可能となる。
【００１４】
上枠８と底部９との当接部分、閉塞板１０と上枠８、底部９および配管１との当接部分にはパッキンを嵌めるのが好ましい。
【００１５】
上記実施の形態では、上枠８、底部９および閉塞板１０とのボルトとナット等係止具による結合固定を点検ピット内で行うことができるので、矢板７と上枠８の外面との間を大きくとる必要なく、土の堀り出しも少なくてすむ。
【実施例】
【００１６】
底部９の垂直片１６に段部１７を設けないで、図６（Ａ）に示すように、垂直片１６ａを設けた底部９ａを用いてもよい。
この底部９ａを用いる場合には、図示省略したが、閉塞板１０を、配管１を挟んで垂直片１６ａの内面に当接させ、下端を底面１４に載置して、切り欠き１２を塞ぎ、垂直片１６ａと上枠８の側面にボルトとナット等係止具で固定する。
【００１７】
図６（Ｂ）に示すように、垂直片１６、１６ａを設けない、側面凸状の底部９ｂを用いてもよい。
この底部９ｂを用いる場合には、図示省略したが、２枚の閉塞板１０で配管１を挟み、切り欠き１２を塞いで、切り欠き１２の周縁の上枠８の側面内面に当接させ、下端を底面に載置した状態にし、上枠８の側面にボルトとナット等係止具で固定する。
【００１８】
図７に示すように、底板１９の底面の周縁に環状の突縁２０を設けた皿状の底部９ｃを用い、上枠８の棚１３を除いた、上枠８ａ、すなわち、両側に切り欠き１２を設け、下方が開口し、上面に開口１１を設けた上枠８ａを用い、上枠８ａの切り欠き１２において配管１を跨ぎ、四辺の側面の下部を底部９ｃの突縁２０の外側にして突縁２０と上枠８ａの側面をボルトとナット（図示省略）等の係止具で固定し、切り欠き１２側の突縁２０の内面側に段部１７を設け、閉塞板１０の下縁にも突縁２０の段部１７に対向する段部を設け、両段部で閉塞板１０と突縁２０とを係合させ、閉塞板１０をボルトとナット等係止具で上枠８ａの側板および突縁２０に固定させてもよい。なお、突縁２０と閉塞板１０に段部を設けないで、閉塞板１０の下端面を突縁２０の上面に当接させてもよい。
【００１９】
図８に示すように、底板だけの底部９ｄと上枠８ａを用い、底部９ｄを上枠８ａの下方開口に嵌合させてボルトとナット（図示省略）等係止具で固定し、２枚の閉塞板１０で配管１を挟み、切り欠き１２を閉塞し、上枠８ａの側板下端部と底部９ｄの当接箇所でボルトとナット等の係止具で固定してもよい。
【００２０】
図８においては、閉塞板１０は上枠８ａの内面に固定したが、図９に示すように、上枠８ａの外面に固定してもよい。
図１〜４に示す点検ピットにおいても、閉塞板１０を上枠８の外面に固定してもよい。  閉塞板１０を外面に固定する場合には、上枠の外面と矢板との間を、人が入って作業し易いように少し広くする必要がある。
【図面の簡単な説明】
【００２１】
【図１】上枠の斜視図である。
【図２】底部の斜視図である。
【図３】配管に対し直角に点検ピットを断面した施工説明図である。
【図４】配管に対し平行に点検ピットを断面した施工説明図である。
【図５】点検ピットの斜視図である。
【図６】他の実施の形態の底部の斜視図である。
【図７】他の実施の形態の点検ピットの、（Ａ）は配管に対して平行の、（Ｂ）は直角の、断面図である。
【図８】他の実施の形態の点検ピットの、（Ａ）は配管に対して平行の、（Ｂ）は直角の、断面図である。
【図９】他の実施の形態の点検ピットの、（Ａ）は配管に対して平行の、（Ｂ）は直角の、断面図である。
【図１０】従来の点検ピットの施工説明断面図である。
【符号の説明】
【００２２】
１  配管
２  軽量鋼矢板
３  基礎砕石
４  敷均コンクリート
５  鉄筋コンクリート枠
６  開口
７  矢板
８  上枠
９  底部
１０  閉塞板
１１  開口
１２  切り欠き
１３  棚
１４  底板
１５  段部
１６  垂直片
１７  段部
１８  湾入部
１９  底板
２０  突縁
【図１】
2005054428.tif 000003
【図２】
2005054428.tif 000004
【図３】
2005054428.tif 000005
【図４】
2005054428.tif 000006
【図５】
2005054428.tif 000007
【図６】
2005054428.tif 000008
【図７】
2005054428.tif 000009
【図８】
2005054428.tif 000010
【図９】
2005054428.tif 000011
【図１０】
2005054428.tif 000012